(57)【要約】  簡易且つ確実に収納ケース内に二次電池が収納される電池パックを提供する。下ケース１００及び上ケース２００から構成される箱形状の二次電池用収納ケース８００と、収納される二次電池３００と、を備える。上ケース２００の屋根差込片２２６が下ケース１００の屋根板部１１６の下側に接して差込まれると共に、上ケース２００の上側差込片２４０を下ケース１００の後側壁１１４の前側に接して差込み、且つ、下ケース１００の下側差込片１５０を上ケース２００の後側壁２２４の前側に接して差し込む。これにより二次電池３００が二次電池収納ケース８００内に収納される。
2012090380.tif 000002
【特許請求の範囲】
【請求項１】
下ケース及び前記下ケースと接合される上ケースから構成される二次電池用収納ケースと、前記二次電池収納ケース内に収納される二次電池と、を備える電池パックであって、
前記下ケースは、底板と、前記底板の周縁部に上側に向かうように立設され、左右側壁及び前後側壁からなる周側壁とを有し、
前記上ケースは、天板と、前記天板の周縁部に下側に向かうように立設され、左右側壁及び後側壁からなる周側壁とを有し、
前記下ケースの前側壁の上部には後側に突出する屋根板部が設けられ、
前記上ケースは、前記天板の前部に、前記屋根板部の下側に接して差し込まれる屋根差込片を有し、
前記上ケースの後側壁に設けられ、前記下ケースの後側壁の前側に接して差し込まれる上側差込片、及び、前記下ケースの後側壁に設けられ、前記上ケースの後側壁の前側に接して差し込まれる下側差込片のうち少なくとも一方を有し、
前記上ケースの屋根差込片が前記下ケースの屋根板部の下側に接して差込まれると共に、前記上側差込片の前記下ケースの後側壁の前側に接しての差込み、及び、前記下側差込片の前記上ケースの後側壁の前側に接しての差込みのうち少なくとも一方により、前記上ケースの天板及び周側壁並びに前記下ケースの底板及び周側壁にて囲まれた空間が二次電池収納用空間とされて前記二次電池が前記二次電池収納ケース内に収納されることを特徴とする電池パック。
【請求項２】
前記上ケースの上側差込片には係止凹部が設けられ、
前記下ケースの後側壁の前側には、前記係止凹部に嵌め込まれて係止可能な係止部が設けられていることを特徴とする請求項１に記載の電池パック。
【請求項３】
前記下ケースの下側差込片には係止凹部が設けられ、
前記上ケースの後側壁の前側には、前記係止凹部に嵌め込まれて係止可能な係止部が設けられていることを特徴とする請求項１又は２に記載の電池パック。
【請求項４】
前記上ケースの後側壁の前側には、前記下ケースの下側差込片が差し込まれる差込用凹部が設けられていることを特徴とする請求項１乃至３の何れか１項に記載の電池パック。
【請求項５】
前記下ケースの屋根板部の下側には、前記上ケースの屋根差込片が差し込まれる差込用凹部が設けられていることを特徴とする請求項１乃至４の何れか１項に記載の電池パック。
【請求項６】
前記下ケースの屋根板部には、前記上ケースの天板の前部の下側に接して差込みされる後側に突出する突設部が設けられていることを特徴とする請求項１乃至５の何れか１項に記載の電池パック。
【請求項７】
前記上ケースの上側差込片及び前記下ケースの下側差込片は各々複数且つ前記上側差込片と前記下側差込片とが左右方向に沿って交互に位置するように設けられており、前記上ケースの上側差込片が前記下ケースの後側壁の前側に接して差し込まれると共に前記下ケースの下側差込片が前記上ケースの後側壁の前側に接して差し込まれることを特徴とする請求項１乃至６の何れか１項に記載の電池パック。
【請求項８】
前記上ケースは、その左右の少なくとも一方の端部に、前記天板の前部から左右側壁の前部に亘るように設けられた断面Ｌ字状のＬ字状差込片を有し、
前記Ｌ字状差込片は、前記下ケースの屋根板部の下側及び左右側壁の内側に接して差込みされることを特徴とする請求項１乃至７の何れか１項に記載の電池パック。
【請求項９】
前記上ケースの後側壁の上側には、取付けられた後に電池パックを取出す際に上ケースの後端部を引上げるための取手部が設けられ、
前記上ケースの上側差込片は、前記取手部の左右両隣又は下部に設けられていることを特徴とする請求項１乃至８の何れか１項に記載の電池パック。
【請求項１０】
前記上ケースの天板及び前記下ケースの底板の中央部には、各々、開口部が設けられていることを特徴とする請求項１乃至９の何れか１項に記載の電池パック。
【請求項１１】
前記上ケース、前記下ケース及び前記二次電池が外装ラベルで覆われていることを特徴とする請求項１乃至１０の何れか１項に記載の電池パック。
【請求項１２】
下ケース及び前記下ケースと接合される上ケースから構成される箱形状の二次電池用収納ケースであって、
前記下ケースは、底板と、前記底板の周縁部に上側に向かうように立設され、左右側壁及び前後側壁からなる周側壁とを有し、
前記上ケースは、天板と、前記天板の周縁部に下側に向かうように立設され、左右側壁及び後側壁からなる周側壁とを有し、
前記下ケースの前側壁の上部には後側に突出する屋根板部が設けられ、
前記上ケースは、前記天板の前部に、前記屋根板部の下側に接して差し込まれる屋根差込片を有し、
前記上ケースの後側壁に設けられ、前記下ケースの後側壁の前側に接して差し込まれる上側差込片、及び、前記下ケースの後側壁に設けられ、前記上ケースの後側壁の前側に接して差し込まれる下側差込片のうち少なくとも一方を有し、
前記上ケースの屋根差込片が前記下ケースの屋根板部の下側に接して差込まれると共に、前記上側差込片の前記下ケースの後側壁の前側に接しての差込み、及び、前記下側差込片の前記上ケースの後側壁の前側に接しての差込みのうち少なくとも一方により、前記上ケースの天板及び周側壁並びに前記下ケースの底板及び周側壁にて囲まれた空間が二次電池収納用空間とされていることを特徴とする二次電池用収納ケース。
【請求項１３】
下ケース及び前記下ケースと接合される上ケースから構成される箱形状の二次電池用収納ケースに、二次電池を収納して電池パックを組立てる電池パックの組立方法であって、
前記下ケースは、底板と、前記底板の周縁部に上側に向かうように立設され、左右側壁及び前後側壁からなる周側壁と、前側壁の上部に設けられた後側に突設する屋根板部と、後側壁に設けられた下側差込片と、を備え、
前記上ケースは、前記底板に対向配置される天板と、前記天板の周縁部に下側に向かうように立設され、左右側壁及び後側壁からなる周側壁と、前記天板の前部に設けられた前記屋根板部の下側に接して差込みされる屋根差込片と、後側壁に設けられた上側差込片と、を備え、
前記下ケースの底板の上に二次電池を載置させる工程と、
前記底板の上に二次電池が載置された下ケースに対して前記上ケースを、前記下ケースの前記屋根板部の下側に上ケースの屋根差込片が接するように斜め方向から差込む工程と、
前記上ケースの後側壁と前記下ケースの後側壁とを接近させて、前記上側差込片の前記下ケースの後側壁の前側に接しての差込み、及び、前記下側差込片の前記上ケースの後側壁の前側に接しての差込みのうち少なくとも一方により、前記二次電池を前記二次電池用収納ケース内に収納する工程と、を備えることを特徴とする電池パックの組立方法。
【発明の詳細な説明】
【技術分野】
【０００１】
本発明は、二次電池が外装ケース内に収納されて構成された電池パック、その二次電池を収納する二次電池用収納ケース、及び、二次電池を外装ケース内に収納して組み立てする電池パックの組立方法に関する。
【背景技術】
【０００２】
携帯電話やノート型パソコン、ＣＤ（Compact Disc）やＭＤ（Mini Disc）再生用のポータブルプレーヤー等のように、二次電池を電源として内蔵した機器が多くの分野で用いられている。【０００３】
これらの機器に用いられる電池パックは、例えば特許文献１に記載されているように、合成樹脂製の上ケースと下ケースとの間に薄型の二次電池を収納することにより構成されている。その上ケースと下ケースの固定方法については、通常は超音波溶着を用いている。【０００４】
しかし、超音波溶着の超音波エネルギーが二次電池及び二次電池に接続された保護回路基板に影響を及ぼすおそれがある。例えば、超音波エネルギーにより、保護回路基板に実装されている電子部品の接続部分等にクラックが入り、電子部品間の接続がオープン状態となるおそれがある。また、超音波エネルギーにより、二次電池に設けられた安全弁が開放したり、電極に剥離が発生して漏液や性能の低下等の不具合が発生したりするおそれがある。【０００５】
そこで、特許文献２には、上ケースの左右側面に嵌合用突起を設け、下ケースの左右側面に嵌合用溝を設けると共に、上ケースの端面にラッチ爪を設け、下ケースの端面にラッチ穴を設ける収納ケースに、二次電池を収納する電池パックが記載されている。【０００６】
この電池パックでは、上下ケースの側面の嵌合用溝と嵌合用突起とを嵌合させた状態で、下ケースに対して上ケースをスライドさせ、ケース内に二次電池を収納させる。上下ケースの側面の嵌合用溝と嵌合用突起及び端面のラッチ爪とラッチ穴で嵌合、係止することにより上下ケースが固定される。
【先行技術文献】
【特許文献】
【０００７】
【特許文献１】特開２００５−１００６８９号公報
【特許文献２】特開２００７−１０３２８４号公報
【発明の概要】
【発明が解決しようとする課題】
【０００８】
しかし、上述の電池パックでは、上ケースと下ケースとを嵌め合わせる際には、上下ケースの左右側面に設けられた嵌合用突起と嵌合用溝とを位置あわせする必要があるところ、この嵌合用突起及び嵌合用溝は微細構造であるため、位置合わせが難くそのため簡易に収納ケース内に二次電池を収納することが困難である。【０００９】
また、下ケースに対して上ケースをスライドさせる状態では、上ケースのラッチ爪は下ケースのラッチ穴に嵌合していない状態であり、スライドが終了してラッチ爪がラッチ穴に嵌合したとしても、再度、上ケースをスライドさせた作用と同じ力で逆方向に作用させると、ラッチ爪とラッチ穴との嵌合が簡単に外れて、ケースが簡単に開くことになる。これでは確実にケース内に二次電池が収納されることにはならない。【００１０】
本発明はかかる問題点に鑑みてなされたものであって、簡易且つ確実に収納ケース内に二次電池が収納されている電池パック、簡易且つ確実に二次電池を収納できる二次電池用収納ケース及び電池パックの組立方法を提供することを目的とする。
【課題を解決するための手段】
【００１１】
本発明の第１の観点に係る電池パックは、下ケース及び前記下ケースと接合される上ケースから構成される二次電池用収納ケースと、前記二次電池収納ケース内に収納される二次電池と、を備える電池パックであって、前記下ケースは、底板と、前記底板の周縁部に上側に向かうように立設され、左右側壁及び前後側壁からなる周側壁とを有し、前記上ケースは、天板と、前記天板の周縁部に下側に向かうように立設され、左右側壁及び後側壁からなる周側壁とを有し、前記下ケースの前側壁の上部には後側に突出する屋根板部が設けられ、前記上ケースは、前記天板の前部に、前記屋根板部の下側に接して差し込まれる屋根差込片を有し、前記上ケースの後側壁に設けられ、前記下ケースの後側壁の前側に接して差し込まれる上側差込片、及び、前記下ケースの後側壁に設けられ、前記上ケースの後側壁の前側に接して差し込まれる下側差込片のうち少なくとも一方を有し、前記上ケースの屋根差込片が前記下ケースの屋根板部の下側に接して差込まれると共に、前記上側差込片の前記下ケースの後側壁の前側に接しての差込み、及び、前記下側差込片の前記上ケースの後側壁の前側に接しての差込みのうち少なくとも一方により、前記上ケースの天板及び周側壁並びに前記下ケースの底板及び周側壁にて囲まれた空間が二次電池収納用空間とされて前記二次電池が前記二次電池収納ケース内に収納されることを特徴とする。【００１２】
上記構成によれば、下ケースの底板の上に二次電池を載置させ、下ケースの屋根板部の下側に上ケースの屋根差込片が接するように、上ケースを下ケースに対して例えば斜め方向に差込むので、上ケースと下ケースとの位置合わせが簡易である。更に、屋根板部の下側に屋根差込片を差込みした後に、上ケースの後側壁と下ケースの後側壁とを接近させるように、上ケースの上側差込片を下ケースの後側壁の前側に接して差し込む又は下ケースの下側差込片を上ケースの後側壁の前側に接して差し込むので、差し込まれた差込片が外れにくく、確実に二次電池を収納できる。【００１３】
また、前記上ケースの上側差込片には係止凹部が設けられ、前記下ケースの後側壁の前側には、前記係止凹部に嵌め込まれて係止可能な係止部が設けられていることが好ましい。【００１４】
上記構成によれば、上ケースの上側差込片を下ケースの後側壁の前側に接して差し込みした後に、下ケースの後側壁の前側に設けられた係止部が、上ケースの上側差込片に設けられた係止凹部に嵌め込まれて係止めするため、より確実に差し込まれた上側差込片が外れにくくなる。【００１５】
また、前記下ケースの下側差込片には係止凹部が設けられ、前記上ケースの後側壁の前側には、前記係止凹部に嵌め込まれて係止可能な係止部が設けられていることが好ましい。【００１６】
上記構成によれば、下ケースの下側差込片を上ケースの後側壁の前側に接して差し込みした後に、上ケースの後側壁の前側に設けられた係止部が、下ケースの下側差込片に設けられた係止凹部に嵌め込まれて係止めするため、より確実に差し込まれた下側差込片が外れにくくなる。【００１７】
また、前記上ケースの後側壁の前側には、前記下ケースの下側差込片が差し込まれる差込用凹部が設けられていることが好ましい。【００１８】
上記構成によれば、下ケースの下側差込片が、上ケースの後側壁の前側に設けられた差込用凹部内に差し込まれるため、下側差込片が該下側差込片に対する垂直方向に動きにくくなり、より確実に二次電池を収納ケースに収納できる。【００１９】
また、前記下ケースの屋根板部の下側には、前記上ケースの屋根差込片が差し込まれる差込用凹部が設けられていることが好ましい。【００２０】
上記構成によれば、上ケースの屋根差込片が、下ケースの屋根板部の下側に設けられた差込用凹部内に差し込まれるため、屋根差込片が該屋根差込片に対する垂直方向に動きにくくなり、より確実に二次電池を収納ケースに収納できる。【００２１】
また、前記下ケースの屋根板部には、前記上ケースの天板の前部の下側に接して差込みされる後側に突出する突設部が設けられていることが好ましい。【００２２】
上記構成によれば、上ケースと下ケースとの位置合わせの際に、下ケースの屋根板部の下側に上ケースの屋根差込片を差込むと共に、下ケースの屋根板部に設けられた突設部が上ケースの天板の下側に差込みされるので、屋根差込片が屋根板部の下側に差込みされた上ケースを下側から突設部が支えることになり、上ケースを下ケースに対して例えば斜め方向に差込んだ位置合わせ状態を的確に維持できる。【００２３】
また、前記上ケースの上側差込片及び前記下ケースの下側差込片は各々複数且つ前記上側差込片と前記下側差込片とが左右方向に沿って交互に位置するように設けられており、前記上ケースの上側差込片が前記下ケースの後側壁の前側に接して差し込まれると共に前記下ケースの下側差込片が前記上ケースの後側壁の前側に接して差し込まれることが好ましい。【００２４】
上記構成によれば、上ケースの上側差込片と下ケースの下側差込片とが交互に位置するように各々複数設けられているため、より確実に二次電池を収納ケースに収納できる。【００２５】
また、前記上ケースは、その左右の少なくとも一方の端部に、前記天板の前部から左右側壁の前部に亘るように設けられた断面Ｌ字状のＬ字状差込片を有し、前記Ｌ字状差込片は、前記下ケースの屋根板部の下側及び左右側壁の内側に接して差込みされることが好ましい。【００２６】
上記構成によれば、上ケースと下ケースとが接合した後に、Ｌ字状差込片は下ケースの屋根板部の下側及び左右側壁の内側に接して差し込まれているため、収納した二次電池が上下方向及び左右方向にがたつくことはない。【００２７】
また、前記上ケースの後側壁の上側には、取付けられた後に電池パックを取出す際に上ケースの後端部を引上げるための取手部が設けられ、前記上ケースの上側差込片は、前記取手部の左右両隣又は下部に設けられていることが好ましい。【００２８】
上記構成によれば、上ケースの上側差込片が取手部の近傍に設けられているため、取手部を掴んで電池パックを取り出す際に、上ケースと下ケースとの接合が外れにくい。【００２９】
また、前記上ケースの天板及び前記下ケースの底板の中央部には、各々、開口部が設けられていることが好ましい。【００３０】
上記構成によれば、上ケースの天板及び下ケースの底板の中央部に各々開口部が設けられているため、上ケース及び下ケースの軽量化が達成でき、更に、天板の開口部周りの外枠と底板の開口部周りの外枠とで二次電池を支持できるため、収納した二次電池が上下方向にがたつくことはない。【００３１】
また、前記上ケース、前記下ケース及び前記二次電池が外装ラベルで覆われていることが好ましい。【００３２】
上記構成によれば、ケース内に収納した二次電池を外装ラベルにて強固に支持してケース内に二次電池を確実に収納できると共に、外装ラベルには必要な情報等を印刷することができる。【００３３】
本発明の第２の観点に係る二次電池用収納ケースは、下ケース及び前記下ケースと接合される上ケースから構成される箱形状の二次電池用収納ケースであって、前記下ケースは、底板と、前記底板の周縁部に上側に向かうように立設され、左右側壁及び前後側壁からなる周側壁とを有し、前記上ケースは、天板と、前記天板の周縁部に下側に向かうように立設され、左右側壁及び後側壁からなる周側壁とを有し、前記下ケースの前側壁の上部には後側に突出する屋根板部が設けられ、前記上ケースは、前記天板の前部に、前記屋根板部の下側に接して差し込まれる屋根差込片を有し、前記上ケースの後側壁に設けられ、前記下ケースの後側壁の前側に接して差し込まれる上側差込片、及び、前記下ケースの後側壁に設けられ、前記上ケースの後側壁の前側に接して差し込まれる下側差込片のうち少なくとも一方を有し、前記上ケースの屋根差込片が前記下ケースの屋根板部の下側に接して差込まれると共に、前記上側差込片の前記下ケースの後側壁の前側に接しての差し込み、及び、前記下側差込片の前記上ケースの後側壁の前側に接しての差し込みのうち少なくとも一方により、前記上ケースの天板及び周側壁並びに前記下ケースの底板及び周側壁にて囲まれた空間が二次電池収納用空間とされていることを特徴とする。【００３４】
本発明の第３の観点に係る電池パックの組立方法は、下ケース及び前記下ケースと接合される上ケースから構成される箱形状の二次電池用収納ケースに、二次電池を収納して電池パックを組立てる電池パックの組立方法であって、前記下ケースは、底板と、前記底板の周縁部に上側に向かうように立設され、左右側壁及び前後側壁からなる周側壁と、前側壁の上部に設けられた後側に突設する屋根板部と、後側壁に設けられた下側差込片と、を備え、前記上ケースは、前記底板に対向配置される天板と、前記天板の周縁部に下側に向かうように立設され、左右側壁及び後側壁からなる周側壁と、前記天板の前部に設けられた前記屋根板部の下側に接して差込みされる屋根差込片と、後側壁に設けられた上側差込片と、を備え、前記下ケースの底板の上に二次電池を載置させる工程と、前記底板の上に二次電池が載置された下ケースに対して前記上ケースを、前記下ケースの前記屋根板部の下側に上ケースの屋根差込片が接するように斜め方向から差込む工程と、前記上ケースの後側壁と前記下ケースの後側壁とを接近させて、前記上側差込片の前記下ケースの後側壁の前側に接しての差し込み、及び、前記下側差込片の前記上ケースの後側壁の前側に接しての差し込みのうち少なくとも一方により、前記二次電池を前記二次電池用収納ケース内に収納する工程と、を備えることを特徴とする。
【発明の効果】
【００３５】
本発明によれば、下ケースの屋根板部に上ケースの屋根差込片を例えば斜め方向から差込み、ついで上又は下ケースの差込片を下又は上ケースの後側壁の前側に接して差し込むことにより、簡易且つ確実に二次電池をケース内に収納できる。
【図面の簡単な説明】
【００３６】
【図１】本実施形態に係る電池パックの下ケースの屋根板部に上ケースの屋根差込片を差込む前の状態を斜前側から見て示す斜視図である。
【図２】本実施形態に係る電池パックの下ケースの屋根板部に上ケースの屋根差込片を差込んだ状態を斜後側から見て示す斜視図である。
【図３】下ケースと上ケースとを接合させた場合における図１に示されるIII−III線で切断される断面図である。
【図４】下ケースと上ケースとを接合させた場合における図１に示されるIV−IV線で切断される断面図である。
【図５】下ケースと上ケースとを接合させた場合における図２に示されるV−V線で切断される断面図である。
【図６】下ケースと上ケースとを接合させた場合における図２に示されるVI−VI線で切断される断面図である。
【図７】上ケースを下ケースに対して斜め方向から差込むことにより上ケースと下ケースとを位置あわせする状態を説明する図である。
【図８】二次電池用収納ケース内に二次電池を収納した状態を説明する図である。
【図９】二次電池用収納ケース及び二次電池を外装ラベルで被覆した状態を説明する図である。
【発明を実施するための形態】
【００３７】
以下、添付の図面を参照して本発明の実施形態について具体的に説明するが、当該実施形態は本発明の原理の理解を容易にするためのものであり、本発明の範囲は、下記の実施形態に限られるものではなく、当業者が以下の実施形態の構成を適宜置換した他の実施形態も、本発明の範囲に含まれる。
【００３８】
図１は、本実施形態に係る電池パック９００の下ケース１００の屋根板部１１６に上ケース２００の屋根差込片２２６を差込む前の状態を斜前側から見て示す斜視図である。図１に示されるように、二次電池収納ケース８００は、下ケース１００と、この下ケース１００と接合される上ケース２００とから構成される。電池パック９００は、二次電池３００が箱形状の二次電池収納ケース８００内に収納されて構成され、後述する外装ラベルの有無を問わない。二次電池３００は、特に限定されるものではないが例えば扁平角形のリチウムイオン二次電池である。後述するように、二次電池３００の封口板側の端面には回路基板が対向配置されており、その間には樹脂の硬化により形成されたモールド体が設けられて、二次電池３００と回路基板とは一体化されている。下ケース１００及び上ケース２００の材質は、特に限定されるものではないが、例えば合成樹脂にて構成されており、具体的にはポリカーボネート樹脂やアクリロニトリル−ブタジエン−スチレン樹脂等により構成される。
【００３９】
図２は、本実施形態に係る電池パック９００の下ケース１００の屋根板部１１６に上ケース２００の屋根差込片２２６を差込んだ状態を斜後側から見て示す斜視図である。図１及び図２に示されるように、上ケース２００は、天板２２１と、この天板２２１に下側に立設して形成される周側壁２２０とを有する。上ケース２００の周側壁２２０は、左側壁２２２、右側壁２２３、及び後側壁２２４から構成される。天板２２１の中央部には開口部２３０が設けられている。
【００４０】
下ケース１００は、底板１１１と、この底板１１１に上側に立設して形成される周側壁１１０とを有する。上ケース２００の天板２２１は底板１１１に対向配置される。下ケース１００の周側壁１１０は、左側壁１１２、右側壁１１３、後側壁１１４、及び前側壁１１５から構成される。前側壁１１５には、二次電池３００の正極端子及び負極端子、温度検出端子からなる外部接続端子を外部露出させるための外部接続端子開口部３２０が設けられている。下ケース１００の底板の中央部にも、天板２２１の開口部２３０と同様に開口部が設けられている。天板２２１及び底板１１１に各々開口部を設けているので、上ケース２００及び下ケース１００の軽量化が達成できる。
【００４１】
下ケース１００の前側壁１１５の上部には、後側に突設する屋根板部１１６が設けられる。上ケース２００は、天板２２１の前部に屋根差込片２２６を有し、屋根差込片２２６はその前側先端部に下側に突出する下側突出部２２７を有する。
【００４２】
図３は、下ケース１００と上ケース２００とを接合させた場合における図１に示されるIII−III線で切断される断面図である。図１及び図３に示されるように、下ケース１００の屋根板部１１６の下側には差込用凹部１１７が設けられている。屋根差込片２２６は、天板２２１よりも一段下がって該天板２２１の前面より突出して形成されている。この屋根差込片２２６は、屋根板部１１６の下側に接してこの差込用凹部１１７に対応して差し込まれる。また、下ケース１００と上ケース２００とを接合させた場合、下側突出部２２７と下ケース１００の前側壁１１５とで回路基板３０２の上部が挟持されて回路基板３０２が固定される。モールド体３０１の上部は回路基板３０２の上部よりも低く形成されており、下ケース１００と上ケース２００とを接合させた場合、モールド体３０１の上部には空間が形成され、その空間内に下側突出部２２７が収まる。
【００４３】
下ケース１００の屋根板部１１６の下側にこの屋根差込片２２６を接するように、上ケース２００を下ケース１００に対して例えば斜め方向に差込むことにより、上ケース１００と下ケース２００とを位置合わせが行いやすい。そして、モールド体３０１の上部には下側突出部２２７が収まる空間が形成されるから、下ケース１００の屋根板部１１６の下側に屋根差込片２２６を接するように斜め方向に上ケース２００を差込む際に、下側突出部２２７がモールド体３０１に衝突して引っかかることはない。また、屋根差込片２２６が差込用凹部１１７内に差し込まれるため、屋根差込片２２６が該屋根差込片２２６に対する垂直方向、即ち二次電池収納ケース８００の左右の方向に動きにくくなり、確実に二次電池３００を収納できる。
【００４４】
図１に示されるように、下ケース１００の屋根板部１１６には、後側に突設する突設部１１８が設けられている。
【００４５】
図４は、下ケース１００と上ケース２００とを接合させた場合における図１に示されるIV−IV線で切断される断面図である。図１及び図４に示されるように、上ケース２００の天板２２１の前面下側には凹部２２８が設けられている。突設部１１８は、屋根板部１１６よりも一段下がって該屋根板部１１６の後面より突出して形成されている。この突設部１１８は、天板２２１の前部の下側に接してこの凹部２２８に対応して差し込まれる。突設部１１８が凹部２２８内に差し込まれるため、上ケース２００と下ケース１００との位置合わせの際に、屋根差込片２２６が屋根板部１１６の下側に差込みされた上ケース２００を下側から突設部１１８が支えることになり、上ケース２００を下ケース１００に対して例えば斜め方向に差込んだ位置合わせ状態を的確に維持できる。
【００４６】
図１に示されるように、天板２２１には左右各々の端部において、前部から左右側壁に亘って断面Ｌ字状に構成されるＬ字状差込片２３１が設けられている。Ｌ字状差込片２３１は、天板２２１よりも一段下がって前面に突出している板状突出部２３２を備えている。下ケース１００の屋根板部１１６の下側には、このＬ字状差込片２３１の形状に対応したＬ字状凹部１３１が設けられており、Ｌ字状差込片２３１は、屋根板部１１６の下側及び左右側壁２２２，２２３の内側に接してこのＬ字状凹部１３１に対応して差し込まれる。
【００４７】
上ケース２００と下ケース１００とが接合した後、Ｌ字状差込片２３１は屋根板部１１６の下側及び左右側壁１１２，１１３の内側に接して差し込まれているため、収納した二次電池３００のがたつきを的確に抑制できる。
【００４８】
図１に示されるように、上ケース２００の後側壁２２４には複数の上側差込片２４０が設けられている。
【００４９】
図５は、下ケース１００と上ケース２００とを接合させた場合における図２に示されるV−V線で切断される断面図である。図５に示されるように、上ケース２００の上側差込片２４０は、下ケース１００の後側壁１１４の前側に接して差し込まれる。上側差込片２４０の形状は、後側壁１１４の前側に接して差し込まれやすいように、例えば断面三角形のように、断面が先端に向かうにつれて先細り形状に形成されている。
【００５０】
図１，図２及び図５に示されるように、上ケース２００の上側差込片２４０には係止凹部２４１が設けられている。そして、下ケース１００の後側壁１１４の前側には、該係止凹部２４１に対応して嵌め込まれこれに係止め可能な鈎爪形状の係止部１４１が設けられている。
【００５１】
二次電池３００を二次電池収納ケース８００内に収納した場合、上ケース２００の上側差込片２４０は下ケース１００の後側壁１１４の前側に接して差し込まれるので、差し込まれた上側差込片２４０が外れにくく、確実に二次電池を収納できる。また、係止部１４１が上側差込片２４０に設けられた係止凹部２４１に嵌め込まれて係止めするため、差し込まれた上側差込片２４０が外れにくい。
【００５２】
また、図２に示されるように、下ケース１００の後側壁１４１には複数の下側差込片１５０が設けられている。
【００５３】
図６は、下ケース１００と上ケース２００とを接合させた場合における図２に示されるVI−VI線で切断される断面図である。図６に示されるように、下ケース１００の下側差込片１５０は、上ケース２００の後側壁２２４の前側に接して差し込まれる。下ケース１００の下側差込片１５０は、後側壁１４１の後側面よりも一段下がって突出している。
【００５４】
上ケース２００の後側壁２２４の前側には、この下ケース１００の下側差込片１５０の形状に対応した差込用凹部２５０が設けられており、下側差込片１５０は、後側壁２２４の前側に接してこの差込用凹部２５０に対応して差し込まれる。
【００５５】
二次電池３００を二次電池収納ケース８００内に収納した場合、下ケース１００の下側差込片１５０は上ケース２００の後側壁２２４の前側に接して差し込まれるので、差し込まれた下側差込片１５０が外れにくく、確実に二次電池を収納できる。また、下側差込片１５０が差込用凹部２５０内に差し込まれることにより、下側差込片１５０が左右方向に動きにくくなり、収納した二次電池３００のがたつきを的確に抑制できる。
【００５６】
図２に示されるように、上ケース２００の上側差込片２４０は例えば４つ設けられており、また、下ケース１００の下側差込片１５０は例えば３つ設けられている。そして、上ケース２００の上側差込片２４０を下ケース１００の後側壁１１４の前側に接して差し込むと共に、下ケース１００の下側差込片１５０を上ケース２００の後側壁２２４の前側に接して差し込むと、上ケース２００の上側差込片２４０と下ケース１００の下側差込片１５０とは交互に位置するように配置されている。これにより、上ケース２００と下ケース１００との横方向のズレを抑制することができ、確実に二次電池収納ケース８００内に二次電池３００を収納できる。
【００５７】
図１及び図２に示されるように、上ケース２００の後側壁２２４の上側には、電池パック９００が取付けられる機器に取付けられた後に該電池パック９００を取出すための取手部２６０が設けられている。電池パック９００が取付けられる機器は、特に限定されるものではないが、例えば携帯電話、ノート型パソコン、ＣＤ又はＭＤ再生用のポータブルプレーヤー等である。
【００５８】
上ケース２００の上側差込片２４０は、取手部２６０の少なくとも両隣に設けられている。このように、取手部２６０を掴んで電池パックを取り出す際には、該取手部２６０の近傍に力がかかるところ、上ケース２００の上側差込片２４０が取手部２６０の近傍に設けられているため、取手部２６０を掴んで電池パック９００を取り出す際に上ケース２００と下ケース１００との接合が外れにくい。
【００５９】
なお、上側差込片２４０が取手部２６０の両隣に設けられる実施形態に限定されるものではなく、例えば上側差込片２４０が取手部２６０の下部に取手部２６０の幅以上に設けられることも可能であり、この構成によっても取手部２６０を掴んで電池パック９００を取り出す際に上ケース２００と下ケース１００との接合を外れにくくさせることができる。
【００６０】
次に、上述の二次電池用収納ケース８００を使用する電池パック９００の組立方法について説明する。
【００６１】
図７は、上ケース２００を下ケース１００に対して斜め方向から差込むことにより上ケース２００と下ケース１００とを位置あわせする状態を説明する図である。
【００６２】
図７に示すように、下ケース１００の底板１１１の上に二次電池３００を載置させ、そして、屋根板部１１６の下側に形成されている差込用凹部１１７に、屋根差込片２２６を上ケース２００が下ケース１００に対して斜め方向になるように差し込む。このとき、屋根板部１１６に形成されている突設部１１８は、天板２２１の前部に形成されている凹部２２８に対応して差し込まれる。更に、図１に示したＬ字状差込片２３１の板状突出部２３２は、Ｌ字状凹部１３１に差込みされる。
【００６３】
図８は、二次電池用収納ケース８００内に二次電池３００を収納した状態を説明する図である。ついで、図７に示す矢印の方角に上ケース２００の後側壁２２４と下ケース１００の後側壁１１４とを接近させると、図５及び図８に示されるように、上ケース２００の上側差込片２４０が下ケース１００の後側壁１１４の前側に接して差し込まれる。そして、図６及び図８に示されるように、下ケース１００の下側差込片１５０が上ケース２００の後側壁２２４の前側に接して差し込まれる。これにより二次電池３００が二次電池用収納ケース８００内に適切に収納される。
【００６４】
図９は、二次電池用収納ケース８００及び二次電池３００を外装ラベルで被覆した状態を説明する図である。図９に示されるように、二次電池用収納ケース８００内に二次電池３００を収納した後は、上ケース２００、下ケース１００及び二次電池３００を外装ラベル３１０で被覆される。これにより、外装ラベル３１０にて強固に支持して上ケース２００と下ケース１００とが外れることを防止できるので、ケース内に二次電池３００を確実に収納できると共に、この外装ラベル３１０には必要な情報等を印刷することができ、電池パック９００の取り扱いを容易にすることができる。また、外装ラベル３１０が絶縁材質である場合は、二次電池３００の他の電子部品等に対する絶縁性を担保できる。
【００６５】
本実施形態に係る電池パック９００において、上ケース２００と下ケース１００との接合を外す場合、図７に示した矢印と反対方向に上ケースを持ち上げる必要があるところ、図５の矢印で示されるように、上ケース２００の上側差込片２４０は二次電池３００と下ケース１００の後側壁１１４とで挟持されている。また、図６の矢印で示されるように、下ケース１００の下側差込片１５０は二次電池３００と上ケース２００の後側壁２２４とで挟持されている。そのため、例えば電池パック９００が取り付けられている携帯電話等の作動中に二次電池３００が熱を有して膨張したとしても、上ケース２００の上側差込片２４０及び下ケース１００の下側差込片１５０は強固に挟持されているため、図７に示した矢印と反対方向に上ケースを持ち上げにくく、上ケース２００と下ケース１００との接合が外れにくい。従って、本実施形態に係る二次電池用収納ケース８００によれば適切に二次電池３００を収納できる。
【００６６】
（その他の実施形態）
上述の実施形態においては、上ケース２００に複数の上側差込片２４０を設けると共に下ケース１００に複数の下側差込片１５０を設けた。しかしながら、本発明の範囲はこのような実施形態に限定されるものではない。例えば、上ケース２００にのみ単数又は複数の上側差込片２４０を設けることも、下ケース１００にのみ単数又は複数の下側差込片１５０を設けることも可能である。
【００６７】
上述の実施形態においては、上ケース２００の上側差込片２４０に係止凹部２４１が設けられ、下ケース１００の後側壁１１４の前側に該凹部２４０に対応して嵌め込まれこれに係止め可能な係止部１４１が設けられた。
【００６８】
しかし、本発明の範囲はこのような実施形態に限定されるものではない。下ケース１００の下側差込片１５０に係止凹部が設けられ、上ケース２００の後側壁２２４の前側に該凹部に対応して嵌め込まれこれに係止め可能な係止部を設けることも可能である。
【産業上の利用可能性】
【００６９】
携帯電話、ノート型パソコン、ＣＤ又はＭＤ再生用のポータブルプレーヤー等の電子機器の電源に用いることができる。
【符号の説明】
【００７０】
１００：下ケース
１１０：周側壁
１１１：底板
１１２：左側壁
１１３：右側壁
１１４：後側壁
１１５：前側壁
１１６：屋根板部
１１７：差込用凹部
１１８：突設部
１４１：係止部
１５０：下側差込片
２００：上ケース
２２０：周側壁
２２１：天板
２２２：左側壁
２２３：右側壁
２２４：後側壁
２２６：屋根差込片
２２８：凹部
２３０：開口部
２３１：Ｌ字状差込片
２４０：上側差込片
２４１：係止凹部
２５０：差込用凹部
２６０：取手部
３００：二次電池
３０１：モールド体
３０２：回路基板
３１０：外装ラベル
３２０：外部接続端子開口部
８００：二次電池用収納ケース
９００：電池パック
【図１】
2012090380.tif 000003
【図２】
2012090380.tif 000004
【図３】
2012090380.tif 000005
【図４】
2012090380.tif 000006
【図５】
2012090380.tif 000007
【図６】
2012090380.tif 000008
【図７】
2012090380.tif 000009
【図８】
2012090380.tif 000010
【図９】
2012090380.tif 000011
【手続補正書】
【提出日】平成24年5月30日(2012.5.30)
【手続補正１】
【補正対象書類名】特許請求の範囲
【補正対象項目名】全文
【補正方法】変更
【補正の内容】
【特許請求の範囲】
【請求項１】
下ケース及び前記下ケースと接合される上ケースから構成される二次電池用収納ケースと、前記二次電池収納ケース内に収納される二次電池と、を備える電池パックであって、
前記下ケースは、底板と、前記底板の周縁部に上側に向かうように立設され、左右側壁及び前後側壁からなる周側壁とを有し、
前記上ケースは、天板と、前記天板の周縁部に下側に向かうように立設され、左右側壁及び後側壁からなる周側壁とを有し、
前記下ケースの前側壁の上部には、前記底板に平行に後側に突出する平板状の屋根板部が設けられ、
前記上ケースは、前記天板の前部に、前記屋根板部の下側に接して差し込まれる、前記天板に平行に前側に突出する平板状の屋根差込片を有し、
前記上ケースの後側壁に設けられ、前記下ケースの後側壁の前側に接して差し込まれる上側差込片、及び、前記下ケースの後側壁に設けられ、前記上ケースの後側壁の前側に接して差し込まれる下側差込片のうち少なくとも一方を有し、
前記上ケースの屋根差込片が前記下ケースの屋根板部の下側に接して差込まれると共に、前記上側差込片の前記下ケースの後側壁の前側に接しての差込み、及び、前記下側差込片の前記上ケースの後側壁の前側に接しての差込みのうち少なくとも一方により、前記上ケースの天板及び周側壁並びに前記下ケースの底板及び周側壁にて囲まれた空間が二次電池収納用空間とされて前記二次電池が前記二次電池収納ケース内に収納されることを特徴とする電池パック。
【請求項２】
前記上ケースの上側差込片には係止凹部が設けられ、
前記下ケースの後側壁の前側には、前記係止凹部に嵌め込まれて係止可能な係止部が設けられていることを特徴とする請求項１に記載の電池パック。
【請求項３】
前記下ケースの下側差込片には係止凹部が設けられ、
前記上ケースの後側壁の前側には、前記係止凹部に嵌め込まれて係止可能な係止部が設けられていることを特徴とする請求項１又は２に記載の電池パック。
【請求項４】
前記上ケースの後側壁の前側には、前記下ケースの下側差込片が差し込まれる差込用凹部が設けられていることを特徴とする請求項１乃至３の何れか１項に記載の電池パック。
【請求項５】
前記下ケースの屋根板部の下側には、前記上ケースの屋根差込片が差し込まれる差込用凹部が設けられていることを特徴とする請求項１乃至４の何れか１項に記載の電池パック。
【請求項６】
前記下ケースの屋根板部には、前記上ケースの天板の前部の下側に接して差込みされる後側に突出する突設部が設けられていることを特徴とする請求項１乃至５の何れか１項に記載の電池パック。
【請求項７】
前記上ケースの上側差込片及び前記下ケースの下側差込片は各々複数且つ前記上側差込片と前記下側差込片とが左右方向に沿って交互に位置するように設けられており、前記上ケースの上側差込片が前記下ケースの後側壁の前側に接して差し込まれると共に前記下ケースの下側差込片が前記上ケースの後側壁の前側に接して差し込まれることを特徴とする請求項１乃至６の何れか１項に記載の電池パック。
【請求項８】
前記上ケースは、その左右の少なくとも一方の端部に、前記天板の前部から左右側壁の前部に亘るように設けられた断面Ｌ字状のＬ字状差込片を有し、
前記Ｌ字状差込片は、前記下ケースの屋根板部の下側及び左右側壁の内側に接して差込みされることを特徴とする請求項１乃至７の何れか１項に記載の電池パック。
【請求項９】
前記上ケースの後側壁の上側には、取付けられた後に電池パックを取出す際に上ケースの後端部を引上げるための取手部が設けられ、
前記上ケースの上側差込片は、前記取手部の左右両隣又は下部に設けられていることを特徴とする請求項１乃至８の何れか１項に記載の電池パック。
【請求項１０】
前記上ケースの天板及び前記下ケースの底板の中央部には、各々、開口部が設けられていることを特徴とする請求項１乃至９の何れか１項に記載の電池パック。
【請求項１１】
前記上ケース、前記下ケース及び前記二次電池が外装ラベルで覆われていることを特徴とする請求項１乃至１０の何れか１項に記載の電池パック。
【請求項１２】
下ケース及び前記下ケースと接合される上ケースから構成される箱形状の二次電池用収納ケースであって、
前記下ケースは、底板と、前記底板の周縁部に上側に向かうように立設され、左右側壁及び前後側壁からなる周側壁とを有し、
前記上ケースは、天板と、前記天板の周縁部に下側に向かうように立設され、左右側壁及び後側壁からなる周側壁とを有し、
前記下ケースの前側壁の上部には、前記底板に平行に後側に突出する平板状の屋根板部が設けられ、
前記上ケースは、前記天板の前部に、前記屋根板部の下側に接して差し込まれる、前記天板に平行に前側に突出する平板状の屋根差込片を有し、
前記上ケースの後側壁に設けられ、前記下ケースの後側壁の前側に接して差し込まれる上側差込片、及び、前記下ケースの後側壁に設けられ、前記上ケースの後側壁の前側に接して差し込まれる下側差込片のうち少なくとも一方を有し、
前記上ケースの屋根差込片が前記下ケースの屋根板部の下側に接して差込まれると共に、前記上側差込片の前記下ケースの後側壁の前側に接しての差込み、及び、前記下側差込片の前記上ケースの後側壁の前側に接しての差込みのうち少なくとも一方により、前記上ケースの天板及び周側壁並びに前記下ケースの底板及び周側壁にて囲まれた空間が二次電池収納用空間とされていることを特徴とする二次電池用収納ケース。
【請求項１３】
下ケース及び前記下ケースと接合される上ケースから構成される箱形状の二次電池用収納ケースに、二次電池を収納して電池パックを組立てる電池パックの組立方法であって、
前記下ケースは、底板と、前記底板の周縁部に上側に向かうように立設され、左右側壁及び前後側壁からなる周側壁と、前側壁の上部に設けられた、前記底板に平行に後側に突設する平板状の屋根板部と、後側壁に設けられた下側差込片と、を備え、
前記上ケースは、前記底板に対向配置される天板と、前記天板の周縁部に下側に向かうように立設され、左右側壁及び後側壁からなる周側壁と、前記天板の前部に設けられた、前記屋根板部の下側に接して差込みされる、前記天板に平行に前側に突出する平板状の屋根差込片と、後側壁に設けられた上側差込片と、を備え、
前記下ケースの底板の上に二次電池を載置させる工程と、
前記底板の上に二次電池が載置された下ケースに対して前記上ケースを、前記下ケースの前記屋根板部の下側に上ケースの屋根差込片が接するように斜め方向から差込む工程と、
前記上ケースの後側壁と前記下ケースの後側壁とを接近させて、前記上側差込片の前記下ケースの後側壁の前側に接しての差込み、及び、前記下側差込片の前記上ケースの後側壁の前側に接しての差込みのうち少なくとも一方により、前記二次電池を前記二次電池用収納ケース内に収納する工程と、を備えることを特徴とする電池パックの組立方法。
【国際調査報告】
2012090380.tif 000012
2012090380.tif 000013
2012090380.tif 000014
2012090380.tif 000015
2012090380.tif 000016
2012090380.tif 000017